(57)【要約】【課題】  レンズの機能に依存することなく色収差を補正できる画像読み取りシステム及び画像読み取り方法を提供する。【解決手段】  互いに異なる波長領域の入射光量に対応する信号を出力する複数の出力チャンネルを有するリニアイメージセンサと、原稿を位置決めする位置決め手段と、主走査方向に離間した複数のマークと、前記原稿及び前記複数のマークを前記リニアイメージセンサに結像させる光学系と、前記複数の出力チャンネルの出力に基づいて生成される前記原稿を表す画像を、前記出力チャンネル毎に検出された前記複数のマークの間隔に基づいて前記出力チャンネル毎に拡大縮小する色収差補正手段と、を備えることを特徴とする画像読み取り装置。【選択図】  図１
2005130215.tif 000002
【特許請求の範囲】
【請求項１】
互いに異なる波長領域の入射光量に対応する信号を出力する複数の出力チャンネルを有するリニアイメージセンサと、
原稿を位置決めする位置決め手段と、
主走査方向に離間した複数のマークと、
前記原稿及び前記複数のマークを前記リニアイメージセンサに結像させる光学系と、
前記複数の出力チャンネルの出力に基づいて生成される前記原稿を表す画像を、前記出力チャンネル毎に検出された前記複数のマークの間隔に基づいて前記出力チャンネル毎に拡大縮小する色収差補正手段と、
を備えることを特徴とする画像読み取り装置。
【請求項２】
前記色収差検出手段は、前記原稿を読み取る度に前記出力チャンネル毎に前記複数のマークの間隔を検出することを特徴とする請求項１に記載の画像読み取り装置。
【請求項３】
前記マークは、通孔を有し、
前記光学系は、前記原稿及び前記マークを前記リニアイメージセンサ側から照明する第一照明手段と、前記原稿及び前記マークを前記リニアイメージセンサと反対側から照明する第二照明手段と、前記第一照明手段に照明された前記原稿及び前記マークの反射光像、並びに、前記第二照明手段に照明された前記原稿及び前記マークの透過光像を前記リニアイメージセンサに結像させる結像光学系とを有することを特徴とする請求項１又は２に記載の画像読み取り装置。
【請求項４】
前記第二照明手段は、可視光及び赤外光を放射し、
可視光の波長領域の入射光量に対応する前記出力チャンネルの出力に基づいて生成され前記色収差補正手段から出力される前記第一照明手段に照射された前記原稿の透過光像を表す画像を、前記赤外光の波長領域の入射光量に対応する前記出力チャンネルの出力に基づいて生成され前記色収差補正手段から出力される前記第二照明手段に照射された前記原稿の透過光像を表す画像に基づいて補修する補修手段をさらに備えることを特徴とする請求項３に記載の画像読み取り装置。
【請求項５】
互いに異なる波長領域の入射光量に対応する信号を出力する複数の出力チャンネルを有するリニアイメージセンサと、
原稿を位置決めする位置決め手段と、
主走査方向に離間した複数のマークと、
前記原稿及び前記複数のマークを前記リニアイメージセンサに結像させる光学系とを備える画像読み取り装置を用いた画像読み取り方法であって、
前記出力チャンネル毎に前記複数のマークの間隔を検出する色収差検出段階と、
前記複数の出力チャンネルの出力に基づいて前記原稿を表す画像を生成する原稿読み取り段階と、
前記出力チャンネル毎に検出された複数のマークの間隔に基づいて前記出力チャンネル毎に前記画像を拡大縮小する色収差補正段階と、
を含むことを特徴とする画像読み取り方法。
【発明の詳細な説明】
【技術分野】
【０００１】
本発明は、画像読み取りシステム及び画像読み取り方法に関する。
【背景技術】
【０００２】
従来、イメージスキャナとパーソナルコンピュータ等で構成される画像読み取りシステムが知られている。レンズによって原稿をカラーイメージセンサに結像させると、ＲＧＢの各波長領域でレンズの屈折率が異なるため、カラーイメージセンサから出力される画像の大きさがＲ、Ｇ、Ｂの各チャンネルで不揃いになるという、いわゆる色収差が生じる。この結果、例えば４８００ｄｐｉというような高解像度で原稿を読み取ると、原稿に存在しない色がカラー画像の白黒の境界等に表れる。
また、可視光で照射されたフィルムの透過光像を表す画像を赤外光で照射されたフィルムの透過光像を表す画像に基づいて処理することにより、イメージスキャナで読み取った画像に表れるフィルムのゴミや傷を画像処理で補修する技術が知られている（例えば特許文献１，２，３参照）。可視光で照射されたフィルムの透過光像を表す画像と、赤外光で照射されたフィルムの透過光像との間に色収差があると、フィルムについたゴミや傷に対応する画素がそれぞれの画像で異なるため、正確な補修ができない。
【０００３】
【特許文献１】特開２００３−１８３７２号公報
【特許文献２】特開２００２−３０５６３２号公報
【特許文献３】特開２００１−２９８５９３号公報
【発明の開示】
【発明が解決しようとする課題】
【０００４】
しかし、レンズの多重化、非球面レンズの採用等により、レンズ自体の機能により色収差を補正すると、レンズが大型化したり、レンズの製造コストが増大するという問題がある。特に、赤外の波長領域とＢの波長領域のように波長の差が大きくなるほど、色収差をレンズ自体で補正することは困難になる。
本発明は、このような問題を解決するために創作されたものであって、レンズの機能に依存することなく色収差を補正できる画像読み取りシステム及び画像読み取り方法を提供することを目的とする。
【課題を解決するための手段】
【０００５】
上記目的を達成するため、本発明に係る画像読み取りシステムは、互いに異なる波長領域の入射光量に対応する信号を出力する複数の出力チャンネルを有するリニアイメージセンサと、原稿を位置決めする位置決め手段と、主走査方向に離間した複数のマークと、前記原稿及び前記複数のマークを前記リニアイメージセンサに結像させる光学系と、前記複数の出力チャンネルの出力に基づいて生成される前記原稿を表す画像を、前記出力チャンネル毎に検出された前記複数のマークの間隔に基づいて前記出力チャンネル毎に拡大縮小する倍率補正手段と、を備えることを特徴とする。互いに異なる波長領域の入射光量に対応する信号を出力する複数の出力チャンネルを有するリニアイメージセンサで主走査方向に離間した複数のマークの間隔を検出すると、光学系の色収差により、検出される複数のマークの間隔が出力チャンネル毎に異なる。このように検出される複数のマークの間隔に基づいて、画像をリニアイメージセンサの出力チャンネル毎に拡大縮小することにより、レンズの機能に依存することなしに、色収差を画像処理で補正することができる。
【０００６】
さらに本発明に係る画像読み取りシステムでは、前記色収差検出手段は、前記原稿を読み取る度に前記出力チャンネル毎に前記複数のマークの間隔を検出することを特徴とする。色収差を補正するための基準情報としてのマークの間隔を原稿を読み取る度に検出することにより、光学系の位置決め部材の温度変化による変形等に起因して光学系の色収差が変動しても、色収差を正確に補正することができる。
【０００７】
さらに本発明に係る画像読み取りシステムでは、前記マークは、通孔を有し、前記光学系は、前記原稿及び前記マークを前記リニアイメージセンサ側から照明する第一照明手段と、前記原稿及び前記マークを前記リニアイメージセンサと反対側から照明する第二照明手段と、前記第一照明手段に照明された前記原稿及び前記マークの反射光像、並びに、前記第二照明手段に照明された前記原稿及び前記マークの透過光像を前記リニアイメージセンサに結像させる結像光学系とを有することを特徴とする。マークが通孔を有すると、透過原稿を読み取る際に、マークの透過光像を表すリニアイメージセンサの出力に基づいて光学系の色収差を補正することができる。
【０００８】
さらに本発明に係る画像読み取りシステムでは、前記第二照明手段は、可視光及び赤外光を放射し、可視光の波長領域の入射光量に対応する前記出力チャンネルの出力に基づいて生成され前記倍率補正手段から出力される前記第一照明手段に照射された前記原稿の透過光像を表す画像を、前記赤外光の波長領域の入射光量に対応する前記出力チャンネルの出力に基づいて生成され前記倍率補正手段から出力される前記第二照明手段に照射された前記原稿の透過光像を表す画像に基づいて補修する補修手段をさらに備えることを特徴とする。可視光で照射された透過原稿の透過光像を表す画像を赤外光に照射された透過原稿の透過光像を表す画像に基づいて補修するとき、可視光と赤外光の色収差を補正した状態で補修するため、読み取った画像に表れるフィルムのゴミや傷を正確に補修することができる。
【０００９】
本発明に係る画像読み取り方法は、互いに異なる波長領域の入射光量に対応する信号を出力する複数の出力チャンネルを有するリニアイメージセンサと、原稿を位置決めする位置決め手段と、主走査方向に離間した複数のマークと、前記原稿及び前記複数のマークを前記リニアイメージセンサに結像させる光学系とを備える画像読み取りシステムを用いた画像読み取り方法であって、前記出力チャンネル毎に前記複数のマークの間隔を検出する色収差検出段階と、前記複数の出力チャンネルの出力に基づいて前記原稿を表す画像を生成する原稿読み取り段階と、前記出力チャンネル毎に検出された複数のマークの間隔に基づいて前記出力チャンネル毎に前記画像を拡大縮小する色収差補正段階と、を含むことを特徴とする。互いに異なる波長領域の入射光量に対応する信号を出力する複数の出力チャンネルを有するリニアイメージセンサで主走査方向に離間した複数のマークの間隔を検出すると、光学系の色収差により、検出される複数のマークの間隔が出力チャンネル毎に異なる。このように検出される複数のマークの間隔に基づいて、画像をリニアイメージセンサの出力チャンネル毎に拡大縮小することにより、レンズの機能に依存することなしに、色収差を画像処理で補正することができる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１１】
以下、本発明の実施の形態を実施例に基づいて説明する。
図２は、本発明の一実施例の画像読み取りシステムを構成するイメージスキャナ１の内部構造を示す模式図である。イメージスキャナ１は、本体２と透過原稿ユニット３を備え、本体２の原稿台１７に載置された原稿を読み取る所謂フラットベッド型である。
【００１２】
原稿台１７は、ガラス板等の透明板で形成され、その盤面上に原稿ホルダ１８に支持されたフィルム等の透過原稿１９が載置される。
キャリッジ２０は、本体２のケース２６に収容され、原稿台１７の盤面に対し平行なガイドロッド２１に摺動自在に嵌合している。キャリッジ２０は、光学系としての反射原稿用光源１１、ミラー１２、レンズ１３、及びリニアイメージセンサ１５を搭載している。キャリッジ２０は、搬送用モータ２２によって駆動されるプーリ２３、２４に掛けられたベルト２５に牽引され、原稿台１７の盤面と平行に矢印Ｘ、Ｙの方向に往復移動する。
【００１３】
第一照明手段としての反射原稿用光源１１は、原稿台１７の裏面側に設けられ、例えばキセノン、ネオン等の希ガスや水銀を封入した蛍光管ランプ等の管照明装置から構成されている。反射原稿用光源１１は、その長手方向軸線がガイドロッド２１の長手方向軸線と垂直で原稿台１７に平行な方向に延びる姿勢でキャリッジ２０に搭載されている。
【００１４】
ミラー１２及びレンズ１３は、請求項に記載の結像光学系に相当する。反射原稿用光源１１に照射された原稿の主走査範囲上の反射光は、ミラー１２で反射してレンズ１３に入射し、レンズ１３によってリニアイメージセンサ１５の受光面に集光される。また、レンズ１３及びミラー１２は、リニアイメージセンサ１５の受光面に原稿台１７の盤面に載置された原稿が鮮明に結像される位置に配置される。キャリッジ２０が原稿台１７の盤面と平行な矢印Ｘ、Ｙの方向に運搬されると、ミラー１２及びレンズ１３によってリニアイメージセンサ１５に結像される原稿台１７の盤面上の主走査範囲が矢印Ｘ、Ｙの方向に移動する。
【００１５】
リニアイメージセンサ１５は、多数のセルが管状の反射原稿用光源１１の中心軸線と平行に並ぶ姿勢でキャリッジ２０に搭載されている。リニアイメージセンサ１５は、フォトダイオード等で構成されるセルが直線的に多数配列され互いに異なる波長の光を透過するカラーフィルタを備える複数列の受光部を備えるレンズ縮小型カラーイメージセンサである。詳細は後述する。
【００１６】
透過原稿ユニット３は、透過原稿用光源１４と赤外光源１６とを搭載したキャリッジ４０、ガイドロッド４１、搬送用モータ４２、プーリ４３、４４、ベルト４５等を備える。キャリッジ４０は、原稿台１７の盤面に対し平行なガイドロッド４１に摺動自在に嵌合し、搬送用モータ４２によって駆動されるプーリ４３、４４に掛けられたベルト４５に牽引され、原稿台１７の盤面と平行に矢印Ｘ、Ｙの方向に往復移動する。
【００１７】
第二照明手段としての透過原稿用光源１４は、例えばキセノン、ネオン等の希ガスや水銀を封入した蛍光管ランプ等の管照明装置から構成される。赤外光源１６は、赤外光領域の波長を含む光を放射するＬＥＤ等を直線状に配列して構成される。透過原稿用光源１４及び赤外光源１６は、その長手方向軸線がガイドロッド４１の長手方向軸線に垂直で原稿台１７に平行な方向に延びる姿勢でキャリッジ４０に搭載されている。
尚、赤外光領域から可視光領域までの波長を含む光を放射する１つの光源で請求項に記載の第二照明手段を構成してもよい。
【００１８】
図３は、イメージスキャナ１とパーソナルコンピュータ（ＰＣ）４により構成される画像読み取りシステムの全体を示すブロック図である。イメージスキャナ１とＰＣ４とは各々のインターフェース６１、６２を介して通信線、例えばＵＳＢ（Universal Serial Bus）ケーブルで繋がれ、画像読み取りシステムを構成する。
制御部３５は、ＣＰＵ３６、ＲＯＭ３７、及びＲＡＭ３８を備える。ＣＰＵ３６はＲＯＭ３７に記憶されているプログラムを実行し、イメージスキャナ１の各部を制御し、例えば反射原稿用光源１１、透過原稿用光源１４及び赤外光源１６の点灯と消灯を制御する。ＲＯＭ３７は各種プログラム、各種データなどを記憶する不揮発性のメモリ、ＲＡＭ３８は各種プログラム、各種データなどを一時的に記憶するメモリである。操作部３９は、イメージスキャナ１に対するユーザの操作を受け付け、所定の要求信号を制御部３５に送信する。例えば、図示しないスキャン開始ボタン等により、画像の読み取り開始指示の受付等を行う。
【００１９】
主走査駆動部３１は、リニアイメージセンサ１５を駆動するために必要な駆動パルスをリニアイメージセンサ１５に出力する駆動回路である。主走査駆動部３１は、例えば同期信号発生器、駆動用タイミングジェネレータ等から構成される。
副走査駆動部は、反射原稿用光源１１等を搭載したキャリッジ２０の搬送用モータ２２の駆動回路、透過原稿用光源１４等を搭載したキャリッジ４０の搬送用モータ４２の駆動回路、これらの駆動回路を制御する駆動部用制御回路等から構成される。
【００２０】
ＡＦＥ部３３は、アナログ信号処理部、Ａ／Ｄコンバータ等から構成される。アナログ信号処理部は、リニアイメージセンサ１５から出力されたアナログ画像信号に対して、増幅、雑音低減処理等を施す。Ａ／Ｄコンバータはアナログ信号処理部から出力されたアナログ信号を量子化し、所定ビット長のディジタル表現の画素値をリニアイメージセンサ１５のセル毎に出力する。
ディジタル画像処理部３４は、ＡＦＥ部３３から出力された画素値に対し、シェーディング補正、ガンマ補正、拡大縮小等の処理を行ってディジタル画像データを生成する。
【００２１】
ＰＣ４はＣＰＵ５１、ＲＯＭ５４、ＲＡＭ５５、ＨＤＤ５６、ディスプレイ５２、操作部５３及びインターフェース６２を備えている。ＣＰＵ５１はＲＯＭ５４及びＨＤＤ５６に記憶されているプログラムを実行し、ＰＣ４の各部を制御する。また、ＣＰＵ５１は、ＴＷＡＩＮドライバを実行することにより、イメージスキャナ１に各種の制御信号を送信したり、イメージスキャナ１からＰＣ４に入力されるディジタル画像を処理したりする。具体的には、ＣＰＵ５１は、イメージスキャナ１において赤外光を照射して透過原稿を読み取って得た画像に基づいて、透過原稿の傷を画像上で補修し、補修手段として機能する。詳細は後述する。ＲＯＭ５４は各種プログラム、各種データなどを記憶する不揮発性のメモリ、ＲＡＭ５５は各種プログラム、各種データなどを一時的に記憶するメモリである。ＨＤＤ５６は各種プログラム、各種データなどを記憶する記憶装置である。ディスプレイ５２は、ＣＲＴや液晶を用いた表示装置で、読み取られたディジタル画像を表示する。操作部５３は、図示しないキーボード、マウス等を備え、ユーザのＰＣ４への操作を受け付ける。
イメージスキャナ１及びＰＣ４において、ＣＰＵ３６及びＣＰＵ５１等で実行されるプログラムや各種データは、所定のサーバーからネットワークを介してダウンロードして入力してもよい。
【００２２】
図４は、イメージスキャナ１において、本体２を示す平面図である。原稿ホルダ１８は、マウントフィルム等の透過原稿をはめ込む一つ以上の開口部６７を備える。本体２のケース２６の端面で構成される原稿ガイド６３、６４に原稿ホルダ１８を当接させることにより、開口部６７にはめ込まれた透過原稿が原稿台１７の盤面上の所定の読み取り領域に位置決めされる。原稿台１７、原稿ガイド６３、６４、及び原稿ホルダ１８は、位置決め手段として機能する。
【００２３】
マークとしての２つの通孔６５、６６は、主走査方向に平行な直線上に並んでケース２６に形成されている。図５（Ａ）に示すように、通孔６５、６６の近傍のケース２６の形状は透過原稿用光源１４及び赤外光源１６に照射された時に通孔６５及び６６の壁面に影が出ないよう薄くなっている。通孔６５、６６の上部には、通孔６５および６６からケース内部への塵埃の進入を防止するための防塵カバー６８が備えられている。
【００２４】
尚、図５（Ｂ）に示すように、互いに通ずる２つのテーパ孔で通孔６５、６６を形成してもよい。また、図５（Ｃ）に示すように、ケース２６を透明材料７１で構成し、赤外光を透過しない塗膜７２によってマークを形成してもよい。また、反射原稿のみについて色収差を補正するのであれば、図５（Ｄ）に示すように、マーク７４を不透明なケース２６の裏面側に印刷等により形成してもよい。
【００２５】
図６は、リニアイメージセンサ１５の出力信号の処理を説明するための模式図である。リニアイメージセンサ１５は、受光部８１、８２、８３、８４と、受光部毎に電荷の蓄積時間を制御するゲート８５、８６、８７、８８と、受光部毎に蓄積された電荷を出力部に転送するＣＣＤ（Charge Coupled Device）８９、９０、９１、９２と、受光部毎に転送された電荷を電圧に変換する出力部９３、９４、９５、９６とを備えている。各受光部８１、８２、８３、８４は、可視光Ｒ、Ｇ、Ｂ、又は赤外光Ｉｒのいずれかを透過するカラーフィルタとフォトダイオードとを備え、Ｒ、Ｇ、Ｂ、Ｉｒのいずれかの波長領域の入射光量に対応する電荷を蓄積する。したがって、出力チャンネルとしての出力部９３、９４、９５、９６からはＲ、Ｇ、Ｂ、Ｉｒのいずれかの波長領域の入射光量に対応する信号が出力される。以下、Ｒの波長領域の入射光量に対応する信号が出力される出力部９３を出力チャンネルＲ、Ｇの波長領域の入射光量に対応する信号が出力される出力部９４を出力チャンネルＧ、Ｂの波長領域の入射光量に対応する信号が出力される出力部９５を出力チャンネルＢ、Ｉｒの波長領域の入射光量に対応する信号が出力される出力部９６を出力チャンネルＩｒという。
尚、Ｒと赤外光の受光部、ゲート、ＣＣＤ及び出力部を兼用してもよい。
【００２６】
リニアイメージセンサ１５の各出力部から出力されるアナログ信号は、ＡＦＥ部３３によってディジタル信号に変換される。倍率補正手段としてのディジタル画像処理部３４は、制御部３５により算出され補正倍率記憶部８８に記憶される補正倍率で画像をＲ、Ｇ、Ｉｒのチャンネル毎に拡大縮小し、インターフェース６１を介してＰＣ４に出力する。
【００２７】
図７は、可視光で照射された透過原稿を読み取る処理を示すフローチャートである。
はじめに、スキャナ１は透過原稿用光源１４を点灯する（Ｓ１０２）。
次に、通孔６５、６６の近傍領域を読み取る（Ｓ１０６）。図８（Ａ）は、通孔の位置を検出する時に読み取るマークの近傍の領域７５を示す模式図である。図８（Ｂ）は、出力チャンネルＧからの出力に基づいて生成される領域７５の拡大縮小前のディジタル画像を示す模式図、図８（Ｃ）は、出力チャンネルＲからの出力に基づいて生成される領域７５の拡大縮小前のディジタル画像を示す模式図、図８（Ｄ）は、出力チャンネルＢからの出力に基づいて生成される領域７５の拡大縮小前のディジタル画像を示す模式図である。図８（Ｅ）は、出力チャンネルＩｒからの出力に基づいて生成される領域７５の拡大縮小前のディジタル画像を示す模式図である。
【００２８】
次に、各チャンネルのディジタル画像において通孔６５と通孔６６の間隔を検出する（Ｓ１０８）。具体的には例えば、各読み取りラインにおいて２箇所に表れる高輝度範囲のそれぞれの中心の間隔をライン毎に求めて平均することによって通孔６５の中心と通孔６６の中心の間隔を検出する。この処理を出力チャンネルごとに行うことにより、出力チャンネルＧ、Ｒ、Ｂからの出力に基づいて生成される拡大縮小前のディジタル画像における通孔の間隔Ｘｇ、Ｘｒ、Ｘｂを算出する。
尚、各読み取りラインにおいて２箇所に表れる高輝度範囲が最も広くなるラインを検出し、そのラインにおける２箇所の高輝度範囲のそれぞれの中心を通孔の中心位置としてもよい。
【００２９】
次に、通孔の間隔Ｘｇを基準として、補正倍率Ｒｒ＝Ｘｒ／Ｘｇ、及びＲｂ＝Ｘｂ／Ｘｇを算出する（Ｓ１１０）。
次に、ディジタル画像処理部３４の補正倍率記憶部８８に各々の補正倍率Ｒｒ、Ｒｂを記憶する（Ｓ１１２）。
次に、ステップＳ１１４において、補正倍率記憶部８８に記憶された補正倍率を用いて出力チャンネルＲからの出力に基づいて生成されるディジタル画像と出力チャンネルＢからの出力に基づいて生成されるディジタル画像とを拡大縮小しながら透過原稿をＲＧＢの３チャンネルで読み取る（Ｓ１１４）。
尚、出力チャンネルＧ又はＲからの出力に基づいて生成される拡大縮小前のディジタル画像における通孔の間隔Ｘｇ又はＸｒを基準として算出される補正倍率でディジタル画像を拡大縮小しながら透過原稿を読み取ってもよい。
【００３０】
図９は、ディジタル画像処理部３４における倍率補正処理の概略を示す模式図である。透過原稿の読み取り時、各々の出力チャンネルＲ、Ｂからの出力に基づいて生成されるディジタル画像２０２、２０３は、補正倍率記憶部８８に記憶されている補正倍率に基づいて、間引きあるいは補間処理を施すことにより拡大縮小される。この結果、ディジタル画像２０１、２０５、２０６の３チャンネルの画像で構成される色収差補正されたカラー画像がディジタル画像処理部３４から出力される。例えば出力チャンネルＲからの出力に基づいて生成される透過原稿のディジタル画像２０２は、補正倍率記憶８８に記憶されている補正倍率によると、出力チャンネルＧからの出力に基づいて生成される透過原稿のディジタル画像２０１のＲｒ倍の大きさになっている。したがって、Ｒチャンネルのディジタル画像２０２を１／Ｒｒ倍に縮小することにより、Ｇチャンネルのディジタル画像２０２とＲチャンネルのディジタル画像２０５の色収差が無くなる。
次に、赤外光を透過原稿に照射して得られるディジタル画像に基づいて、可視光を透過原稿に照射して得られるディジタル画像を補修する処理について説明する。
【００３１】
図１０は、ディジタル画像を補修するために、赤外光に照射された透過原稿を読み取る処理を示すフローチャートである。
はじめに、制御部３５は、赤外光源１６を点灯する（Ｓ１２２）。
次に、通孔６５、６６の近傍領域を読み取る（Ｓ１２４）。通孔の位置を検出する時に読み取るマークの近傍の領域７５、及び出力チャンネルＩｒからの出力に基づいて生成される領域７５の拡大縮小前のディジタル画像は、図８（Ａ）、（Ｅ）に示す通りである。
【００３２】
次に、出力チャンネルIｒからの出力に基づいて生成されるディジタル画像において、通孔６５と通孔６６の間隔Ｘｉを検出する（Ｓ１２６）。検出方法については、Ｘｇ、Ｘｒ、Ｘｂと同様である。
次に、マーク間隔Ｘｇを基準として、補正倍率Ｒｉ＝Ｘｉ／Ｘｇを算出する（Ｓ１２８）。
【００３３】
次に、ディジタル画像処理部３４の補正倍率記憶部８８に補正倍率Ｒｉを記憶する（Ｓ１３０）。
次に、ステップＳ１３２において、補正倍率記憶部８８に記憶された補正倍率を用いて出力チャンネルＩｒからの出力に基づいて生成されるディジタル画像を拡大縮小しながら透過原稿を読み取る（Ｓ１３２）。
【００３４】
図１は、赤外光で照射した透過原稿を読み取って得た画像に基づいて、透過原稿の傷を画像上で補修する処理の概要を示す模式図である。
はじめに、上述したようにチャンネル毎に倍率補正しながら、透過光用光源１４の可視光に照射された透過原稿を読み取ってＲ、Ｇ、Ｂの各チャンネルのディジタル画像２１１、２１６、２１７を生成し、赤外光源１６の赤外光に照射された透過原稿を読み取って出力チャンネルＩｒからの出力に基づいて生成されたディジタル画像２１８を生成する。
【００３５】
次に、ＰＣ４において、赤外光に照射された透過原稿を読み取って生成されたディジタル画像２１８においてゴミや傷の影に相当する領域を特定し、特定した領域に対応するディジタル画像２１１、２１６、２１７の領域を周辺の画素で置換するなどして補修し、ディジタル画像２１９、２２０、２２１で構成されるカラー画像を得る。ディジタル画像２１８に所定のしきい値を設定して二値化すると、赤外光の透過率が高いため、ゴミや傷の影に相当する領域と、ゴミや傷のない最も濃い画像領域とを判別し、ゴミや傷の影に相当する領域を特定することができる。
【００３６】
尚、本実施例においては、原稿読み込み時に毎回通孔６５，６６の間隔を検出し、補正倍率の算出を行っているが、キャリッジが鋳造アルミ等で構成され温度変化等による変形等、環境変化による色収差の変動がない場合には、あらかじめ工場出荷時に通孔６５，６６の間隔を検出し、ＲＯＭ３７等に補正倍率を記憶しておいてもよい。
【００３７】
また、本発明の実施例においては、チャンネル毎のディジタル画像の拡大縮小はイメージスキャナ１のディジタル画像処理部３４で行うものとした説明したが、ＰＣ４のＣＰＵ５１で実行するＴＷＡＩＮドライバ等によって行ってもよい。
また、本発明の一実施例としてフラットベッド型イメージスキャナとＰＣ４を組み合わせた画像読み取りシステムについて説明したが、透過原稿１９を支持した原稿ホルダ１７、あるいは透過原稿１９を直に搬送することにより主走査範囲を移動させるフィルムスキャナとＰＣを組み合わせたシステムに本発明を適用してもよい。
【００３８】
また、原稿台１７に対してリニアイメージセンサ１５及びレンズ１３の位置を固定し、複数のミラーを連動して移動させることによって主走査範囲を移動させるミラー移動型の画像読み取りシステムに本発明を適用してもよい。
また、複写機、ファクシミリ等の単体で作動する画像読み取りシステムに本発明を適用してもよい。
【００３９】
本発明の一実施例の画像読み取りシステム及び方法によれば、Ｒ、Ｇ、Ｂ、Ｉｒのいずれかの波長領域の入射光量に対応する信号を出力する複数の出力チャンネルを有するリニアイメージセンサで主走査方向に離間した２つのマークの間隔を検出し、このように検出される２つのマークの間隔に基づいて、画像をリニアイメージセンサの出力チャンネル毎に拡大縮小することにより、レンズの機能に依存することなしに、色収差を画像処理で補正することができる。また、マークの間隔を原稿を読み取るたびに検出することにより、位置決め部材等の温度変化による変形等に起因して色収差が変動しても色収差を正確に補正することができる。また、赤外光を用いて透過原稿上のごみや傷を補修するとき、赤外光で照射された透過光像を表すディジタル画像と、可視光で照射された透過光像を表すディジタル画像の色収差がないため、透過原稿についたゴミや傷を、画像上で正確に捕集することができる。
【図面の簡単な説明】
【００４０】
【図１】本発明の一実施例に係る模式図。
【図２】本発明の一実施例に係る模式図。
【図３】本発明の一実施例に係るブロック図。
【図４】本発明の一実施例に係る模式図。
【図５（Ａ）】本発明の一実施例に係る模式図。
【図５（Ｂ）】本発明の一実施例に係る模式図。
【図５（Ｃ）】本発明の一実施例に係る模式図。
【図５（Ｄ）】本発明の一実施例に係る模式図。
【図６】本発明の一実施例に係る模式図。
【図７】本発明の一実施例に係るフローチャート。
【図８（Ａ）】本発明の一実施例に係る模式図。
【図８（Ｂ）】本発明の一実施例に係る模式図。
【図８（Ｃ）】本発明の一実施例に係る模式図。
【図８（Ｄ）】本発明の一実施例に係る模式図。
【図８（Ｅ）】本発明の一実施例に係る模式図。
【図９】本発明の一実施例に係る模式図。
【図１０】本発明の一実施例に係るフローチャート。
【符号の説明】
【００４１】
１  イメージスキャナ（画像読み取りシステム）、４  パーソナルコンピュータ（画像読み取りシステム）、１１  反射原稿用光源（光学系、第一照明手段、結像光学系）、１２  ミラー（光学系、結像光学系）、１３  レンズ（光学系、結像光学系）、１４  透過原稿用光源（光学系、第二照明手段、結像光学系）、１６  赤外光源（第二照明手段、結像光学系）、３４  ディジタル画像処理部（倍率補正手段）、１５  リニアイメージセンサ、１７  原稿台（位置決め手段）、１８  原稿ホルダ（位置決め手段）、６３  原稿ガイド（位置決め手段）、６４  原稿ガイド（位置決め手段）、６５  通孔（マーク）、６６  通孔（マーク）、６８  防塵カバー（マーク）、７２  塗膜（マーク）、７４  マーク
【図１】
2005130215.tif 000003
【図２】
2005130215.tif 000004
【図３】
2005130215.tif 000005
【図４】
2005130215.tif 000006
【図５（Ａ）】
2005130215.tif 000007
【図５（Ｂ）】
2005130215.tif 000008
【図５（Ｃ）】
2005130215.tif 000009
【図５（Ｄ）】
2005130215.tif 000010
【図６】
2005130215.tif 000011
【図７】
2005130215.tif 000012
【図８（Ａ）】
2005130215.tif 000013
【図８（Ｂ）】
2005130215.tif 000014
【図８（Ｃ）】
2005130215.tif 000015
【図８（Ｄ）】
2005130215.tif 000016
【図８（Ｅ）】
2005130215.tif 000017
【図９】
2005130215.tif 000018
【図１０】
2005130215.tif 000019